(57)【要約】【課題】所定の重量を有しスキミング防止機能を備えたコイン型ＩＣタグを提案する。【解決手段】コイン型ＩＣタグ１は，ＩＣチップ１１０とこれに接続するアンテナ１１１を実装したインレットシート１１の片面に保護シート１０を積層し，インレットシート１１のもう一方の面に，高比重で磁性材料の機能を有する高比重磁性材料層１２を少なくとも積層させ，ホットメルト接着剤やアクリル系の粘着剤を用いてこれらを一体化させた構成になっている。【選択図】図１
2018206152.tif 000002
【特許請求の範囲】
【請求項１】
ＩＣチップとこれに接続するアンテナを実装したインレットシートの片面に保護シートを積層し，前記インレットシートのもう一方の面に，高比重かつ磁性材料の機能を有する高比重磁性材料層を少なくとも積層させたことを特徴とするコイン型ＩＣタグ。
【請求項２】
磁石により前記高比重磁性材料層を構成したことを特徴とする，請求項１に記載したコイン型ＩＣタグ。
【請求項３】
磁性材料を用いた磁性材料層と，前記磁性材料層に用いる磁性材料よりも比重の重い高比重材料を用いた高比重材料層の２層により前記高比重磁性材料層を構成したことを特徴とする，請求項１に記載したコイン型ＩＣタグ。
【発明の詳細な説明】
【技術分野】
【０００１】
本発明は，コイン型の形状をなしたＩＣタグであるコイン型ＩＣタグに関する。
【背景技術】
【０００２】
パチンコやパチスロなどの遊技機の遊戯に係る前払い金額の残高や遊戯媒体の貯数の記録に使用する記憶媒体の一つとして，近年，コイン型ＩＣタグが提案されている。コイン型ＩＣタグは，ＩＣチップとこれに接続したアンテナを内蔵し，前払い金額の残高や遊戯媒体の貯数はこのＩＣチップに記憶される。
【０００３】
コイン型ＩＣタグは，遊戯機の脇に設置される台間機（通称「サンド」）に投入して利用される。コイン型ＩＣタグをプラスチックのみで形成すると，コイン型ＩＣタグの重量が小さすぎて，台間機に投入されたコイン型ＩＣタグが安定して落下しないため，遊技機用のコイン型ＩＣタグには，ある程度の重量が必要になる。特許文献１では，所定の重量を得るために，円板状の高比重樹脂材料を用いるコイン型ＩＣタグが提案されている。また，特許文献２では，円板状の磁性材料を巻き芯として用いるコイン型ＩＣタグが提案されている。
【０００４】
一方で，遊技機用のコイン型ＩＣタグには，前払い金額の残高や遊戯媒体の貯数などの金銭情報が記憶されるため，所定の重量に加えて，不正使用を防止するセキュリティ機能も必要になり，特許文献３のように，コイン型ＩＣタグの不正使用防止に暗証番号を用いることが一般的である。
【先行技術文献】
【特許文献】
【０００５】
【特許文献１】特開２００８−７７１４０号公報
【特許文献２】特開２００２−７９８９号公報
【特許文献３】特開２００２−２４５４２１号公報
【発明の概要】
【発明が解決しようとする課題】
【０００６】
しかしながら，特許文献３では，遊技者が離席の際に，遊戯媒体が台間機から抜き取られて不正使用されるのを防止することに着目しており，コイン型ＩＣタグに記憶された情報を不正に読み出すスキミング行為に対しては着目していない。
【０００７】
このことを鑑みて，本発明は，所定の重量を有しスキミング防止機能を備えたコイン型ＩＣタグを提案する。
【課題を解決するための手段】
【０００８】
上述した課題を解決する本発明は，ＩＣチップとこれに接続するアンテナを実装したインレットシートの片面に保護シートを積層し，前記インレットシートのもう一方の面に，高比重かつ磁性材料の機能を有する高比重磁性材料層を少なくとも積層させたことを特徴とするコイン型ＩＣタグである。本発明において，前記高比重磁性材料層は，磁石で構成することもできるが，磁性材料を用いた磁性材料層と，前記磁性材料層に用いる磁性材料よりも比重の重い高比重材料を用いた高比重材料層の２層で構成することもできる。
【発明の効果】
【０００９】
本発明に係るコイン型ＩＣタグでは，コイン型ＩＣタグの重量が所定の重量になるように，高比重磁性材料層の比重を決定すれば，コイン型ＩＣタグの重量を所定の重量に決定できる。また，本発明に係るコイン型ＩＣタグには，磁性材料の機能を有する高比重磁性材料層が積層されているため，高比重磁性材料層が積層されている側からの電磁波は高比重磁性材料層によって遮蔽されるため，高比重磁性材料層が積層されている側からのスキミングを防止できる。
【図面の簡単な説明】
【００１０】
【図１】本実施形態に係るコイン型ＩＣタグを説明する図。
【図２】本実施形態に係るコイン型ＩＣタグの効果を説明する図。
【図３】複層（２層）で実現した高比重磁性材料層を説明する図。
【発明を実施するための形態】
【００１１】
ここから，本発明に係る実施形態を記載する。なお，以下の記載は本発明の技術的範囲を束縛するものでなく，理解を助けるために記述するものである。
【００１２】
図１は，本実施形態に係るコイン型ＩＣタグ１を説明する図である。本実施形態に係るコイン型ＩＣタグ１の形状は，コイン形状，すなわち，厚さの薄い円柱形状で，コイン型ＩＣタグ１は，ＩＣチップ１１０とこれに接続するアンテナ１１１を実装したインレットシート１１の片面に保護シート１０を積層し，インレットシート１１のもう一方の面に，高比重で磁性材料の機能を有する高比重磁性材料層１２を少なくとも積層させ，ホットメルト接着剤やアクリル系の粘着剤を用いてこれらを一体化させた構成になっている。
【００１３】
コイン型ＩＣタグ１に積層させる保護シート１０は，インレットシート１１の片面を保護するためのシートで，保護シート１０の表面には任意の絵柄を印刷できる。保護シート１０には，ポリエチレンテレフタレート，ポリエチレン，ポリプロピレン等，厚みが５０μｍから２００μｍ程度の一般的なプラスチックフィルムを用いることができるが，これ以外の基材であってもよい。
【００１４】
コイン型ＩＣタグ１に積層させるインレットシート１１は，ＩＣチップ１１０とこれに接続したアンテナ１１１を実装したシートである。インレットシート１１の基材としては，保護シート１０と同様に汎用のプラスチックフィルムを用いることができる。インレットシート１１の基材には，金属箔や導電性インキなどを用いて所定形状のアンテナが形成され，前払い金額の残高や遊戯媒体の貯数などの情報を記憶させるためのメモリを有するＩＣチップ１１０がアンテナ１１１に実装される。なお，アンテナ１１１を形成する手法としては，印刷，箔押し，エッチングなどがあるが，アンテナ１１１を形成する手法いずれの手法であってもよい。
【００１５】
コイン型ＩＣタグ１に積層させる高比重磁性材料層１２は，コイン型ＩＣタグ１の重量を補い，更に，スキミングによる被害を防止するための部材で，これらのことを実現するために，高比重かつ磁性材料の機能を有している。コイン型ＩＣタグ１の真贋に係る造型（例えば，コイン型ＩＣタグ１の使用が許可されている店舗名）が必要な場合には，コイン型ＩＣタグ１の高比重磁性材料層１２に所定の造型を施すことができる。
【００１６】
図１では，コイン型ＩＣタグ１に積層させる高比重な高比重磁性材料層１２を単層である。コイン型ＩＣタグ１の高比重磁性材料層１２を単層で実現する場合，フェライト磁石などの磁石を高比重磁性材料層１２に用いることができる。フェライト磁石の比重は４．９ｇ／ｃｍ3であるため，コイン型ＩＣタグ１の直径が５００円硬貨と同じ（２６．５ｍｍ）で，高比重磁性材料層１２の厚みを１．８ｍｍとすれば，コイン型ＩＣタグ１全体の重量を約５ｇにすることができる。
【００１７】
図２は，本実施形態に係るコイン型ＩＣタグ１の効果を説明する図である。図２（ａ）は，コイン型ＩＣタグ１の保護シート１０側がリーダライタ２にかざれたときの図である。図１を用いて説明したコイン型ＩＣタグ１の保護シート１０側がリーダライタ２にかざれた場合，リーダライタ２とインレットシート１１の間に高比重磁性材料層１２はないため，リーダライタ２が発する電磁波は遮蔽されることなくコイン型ＩＣタグ１のインレットシート１１に届き，インレットシート１１に実装されたＩＣチップ１１０は動作する。
【００１８】
図２（ｂ）は，コイン型ＩＣタグ１の高比重磁性材料層１２側がリーダライタ２にかざれたときの図である。図１を用いて説明したコイン型ＩＣタグ１の高比重磁性材料層１２側がリーダライタ２にかざれた場合，リーダライタ２とインレットシート１１の間に高比重磁性材料層１２があるため，リーダライタ２が発する電磁波は，高比重磁性材料層１２が有する磁性材料の機能によって集束されてしまいコイン型ＩＣタグ１のインレットシート１１に届かず，インレットシート１１に実装されたＩＣチップ１１０は動作しない。
【００１９】
このように，コイン型ＩＣタグ１は，高比重磁性材料層１２が積層されている方向からの電磁波がインレットシート１１に届かないように構成されているため，高比重磁性材料層１２の側を外側に向けてコイン型ＩＣタグ１を持ち運べば，スキミングによる被害を防止できる。
【００２０】
なお，図１では，コイン型ＩＣタグ１の高比重磁性材料層１２を単層として図示しているが，コイン型ＩＣタグ１の高比重磁性材料層１２を複層にすることで，コイン型ＩＣタグ１の重量をより重くできる。
【００２１】
図３は，複層（２層）で実現した高比重磁性材料層１２を説明する図である。図３で図示したコイン型ＩＣタグ１の高比重磁性材料層１２は，磁性材料を用いた磁性材料層１２０と，磁性材料層１２０に用いる磁性材料よりも比重の重い高比重材料を用いた高比重材料層１２１の２層により構成されている。磁性材料層１２０には，フェライトなど高透磁率の磁性材料を粉末状にして樹脂（ゴムやシリコンなど）に練り込んだ磁性シートを利用できる。高比重材料層１２１には，タングステン，銅，鉄など高比重の無機フィラーを樹脂に混練させた高比重樹脂材料やタングステン，銅，鉄などの金属板を利用できる。
【００２２】
コイン型ＩＣタグ１の高比重磁性材料層１２を２層で構成した場合であっても，高比重磁性材料層１２が積層されている方向からの電磁波はインレットシート１１には届かない。例えば，高比重磁性材料層１２の高比重材料層１２１を金属板で構成した場合，高比重磁性材料層１２が積層されている方向からの電磁波は金属板で遮蔽される。また，高比重材料層１２１が高比重樹脂材料の場合，高比重磁性材料層１２が積層されている方向からの電磁波は，高比重樹脂材料に含まれる無機フィラーや磁性材料層１２０で遮蔽される。
【００２３】
コイン型ＩＣタグ１の高比重磁性材料層１２を２層にし，高比重材料層１２１により高比重な材料を用いることで，コイン型ＩＣタグ１の重量をより重くできる。例えば，高比重磁性材料層１２の高比重材料層１２１に，フェライト磁石よりも比重の重い銅（約８．９ｇ／ｃｍ3）を用いれば，フェライト磁石のみで高比重磁性材料層１２を構成したときよりも，コイン型ＩＣタグ１の重量を重くできる。例えば，コイン型ＩＣタグ１のサイズが５００円硬貨と同じ（２６．５ｍｍ）で，高比重磁性材料層１２の磁性材料層１２０に用いる磁性シートの厚みを０．２ｍｍ，高比重磁性材料層１２の高比重材料層１２１に用いる銅板の厚みを１．６ｍｍすれば，コイン型ＩＣタグ１全体の重量を約８ｇにすることができる。
【符号の説明】
【００２４】
１    コイン型ＩＣタグ
１０  保護シート
１１  インレットシート
１１０  ＩＣチップ
１１１  アンテナ
１２  高比重磁性材料層
１２０  磁性材料層
１２１  高比重材料層
【図１】
2018206152.tif 000003
【図２】
2018206152.tif 000004
【図３】
2018206152.tif 000005